(57)【要約】【課題】記録済み領域と記録可能な領域とを備えた情報記録媒体に対する上記記録済み領域への書き込み及び消去が実行されないようにする。【解決手段】このハイブリッドＣＤ−ＲＷディスクは、データをマルチセッションで記録する情報記録媒体であって、１ｓｔセッションはスタンプでデータが形成された再生専用領域であり、２ｎｄセッション以降は記録可能なユーザ領域である。１ｓｔセッションには、ファイルのデータと、再生専用領域と記録可能領域を有するハイブリッド記録媒体を示す「ハイブリッドＩＤファイル」のファイル名を持つファイルの実体と、フォルダ／ファイルツリー構造１の中に、それらの各ファイルの存在を含むフォルダ又はファイルツリー構造のデータ（各ファィルの位置情報等）を記録している。【選択図】　　　図５
2004039060.tif 000002
【特許請求の範囲】
【請求項１】
複数のセッションを有し、該各セッションのうち所定のセッションが再生専用領域であり、その他のセッションが記録可能領域である情報記録媒体であって、前記再生専用領域に格納されるデータのファイル構造の中に、当該情報記録媒体が前記再生専用領域と前記記録可能領域とを有する情報記録媒体である旨の識別情報が含まれていることを特徴とする情報記録媒体。
【請求項２】
データをマルチセッションで記録する情報記録媒体であって、その第１セッションにスタンプによってデータが形成されており、前記第１セッションより後のセッションが記録可能なユーザ領域であり、前記第１セッションにスタンプで形成されたデータのフォルダ又はファイルツリー構造の中に、ハイブリッド記録媒体であることを意味するフォルダ名又はファイル名が含まれていることを特徴とする情報記録媒体。
【請求項３】
コンピュータに、情報記録媒体の所定のセッションのデータのファイル構造を読み込む手順と、該手順によって読み込んだファイル構造の中に当該情報記録媒体が前記再生専用領域と前記記録可能領域とを有する情報記録媒体である旨の識別情報が含まれているか否かを判断する手順と、該手順によって前記識別情報が含まれていると判断した場合、前記所定のセッションに対する書き込み要求又は消去要求があったときに当該要求を拒否する手順とを実行させるためのプログラム。
【請求項４】
コンピュータに、請求項２記載の情報記録媒体が挿入されたとき、前記第１セッションのデータのフォルダ又はファイルツリー構造を読み込む手順と、該手順で読み込んだフォルダ又はファイルツリー構造の中に、ハイブリッド記録媒体であることを意味するフォルダ名又はファイル名が含まれているか否かを判断する手順と、該手順によって前記フォルダ名又はファイル名が含まれていると判断した場合、前記第１セッションに対する書き込み要求又は消去要求があったときに当該要求を拒否する手順とを実行させるためのプログラム。
【請求項５】
コンピュータに、データをマルチセッションで記録する情報記録媒体であって、その第１セッションにスタンプによってデータが形成されており、前記第１セッションより後のセッションが記録可能なユーザ領域であり、前記第１セッションにスタンプで形成されたデータのフォルダ又はファイルツリー構造の中に、ハイブリッド記録媒体であることを意味するフォルダ名又はファイル名が含まれており、前記第１セッションに情報記録再生装置を制御する情報記録再生装置用プログラムがスタンプで形成された情報記録媒体が情報記録再生装置に挿入されたとき、当該コンピュータ上に前記情報記録媒体が挿入された情報記録再生装置を制御する情報記録再生装置用プログラムが存在するか否かを判断する手順と、該手順によって情報記録再生装置用プログラムが存在すると判断した場合、その情報記録再生装置用プログラムのバージョン情報を取得する手順と、該手順によって取得したバージョン情報に基づいて当該コンピュータ上の情報記録再生装置用プログラムが前記ハイブリッド記録媒体を判別する機能を有するか否かを判断する手順と、該手順によって前記ハイブリッド記録媒体を判別する機能を有しないと判断した場合、前記情報記録媒体の第１セッションに対する書き込み及び消去を実行しないように警告する手順とをオペレーティングシステムの自動起動の機能によって前記情報記録媒体の情報記録再生装置への挿入時に自動起動で実行させるためのプログラム。
【請求項６】
コンピュータに、データをマルチセッションで記録する情報記録媒体であって、その第１セッションにスタンプによってデータが形成されており、前記第１セッションより後のセッションが記録可能なユーザ領域であり、前記第１セッションにスタンプで形成されたデータのフォルダ又はファイルツリー構造の中に、ハイブリッド記録媒体であることを意味するフォルダ名又はファイル名が含まれており、前記第１セッションに情報記録再生装置を制御する情報記録再生装置用プログラムがスタンプで形成された情報記録媒体が情報記録再生装置に挿入されたとき、当該コンピュータ上に前記情報記録媒体が挿入された情報記録再生装置を制御する情報記録再生装置用プログラムが存在するか否かを判断する手順と、該手順によって情報記録再生装置用プログラムが存在すると判断した場合、その情報記録再生装置用プログラムのバージョン情報を取得する手順と、該手順によって取得したバージョン情報に基づいて当該コンピュータ上の情報記録再生装置用プログラムが前記ハイブリッド記録媒体を判別する機能を有するか否かを判断する手順と、該手順によって前記ハイブリッド記録媒体を判別する機能を有しないと判断した場合、前記情報記録媒体の第１セッションに対する書き込み及び消去を実行しないように警告する手順と、前記手順によって前記ハイブリッド記録媒体を判別する機能を有しないと判断した場合、当該コンピュータ上の情報記録再生装置用プログラムの製造元が当該情報記録再生装置用プログラムの後継バージョンとして前記ハイブリッド記録媒体を判別する機能を有する情報記録再生装置用プログラムを提供しているか否かを判断する手順と、該手順によって提供していると判断した場合、当該情報記録再生装置用プログラムを後継バージョンに更新することを促す手順と、当該コンピュータを当該情報記録再生装置用プログラムの製造元のインターネットのホームページに自動的に接続させる手順とをオペレーティングシステムの自動起動の機能によって前記情報記録媒体の情報記録再生装置への挿入時に自動起動で実行させるためのプログラム。
【請求項７】
光源からの光を情報記録媒体に照射することによって情報の記録を行う情報記録装置であって、情報記録媒体の所定のセッションのデータのファイル構造を読み込むファイル構造読込手段と、該ファイル構造読込手段によって読み込んだファイル構造の中に当該情報記録媒体が前記再生専用領域と前記記録可能領域とを有する情報記録媒体である旨の識別情報が含まれているか否かを判断する判断手段と、該判断手段によって前記識別情報が含まれていると判断した場合、前記所定のセッションに対する書き込み要求又は消去要求があったときに当該要求を拒否する拒否手段とを備えたことを特徴とする情報記録装置。
【発明の詳細な説明】
【０００１】
【発明の属する技術分野】
この発明は、ＣＤ−ＲＯＭ，ＣＤ−Ｒ／ＲＷ，ＣＤ＋Ｒ／ＲＷ，ＤＶＤ−ＲＯＭ，ＤＶＤ−Ｒ／ＲＡＭ／ＲＷ，ＤＶＤ＋Ｒ／ＲＷ等の情報記録媒体と、コンピュータに情報記録媒体に係る所定の処理を実行させるためのプログラムと、情報記録媒体に対する情報の記録を行うＣＤ−ＲＯＭドライブ，ＣＤ−Ｒ／ＲＷドライブ，ＣＤ＋Ｒ／ＲＷドライブ，ＤＶＤ−ＲＯＭドライブ，ＤＶＤ−Ｒ／ＲＡＭ／ＲＷドライブ，ＤＶＤ＋Ｒ／ＲＷドライブ等の情報記録装置とに関する。
【０００２】
【従来の技術】
パーソナルコンピュータ（ＰＣ）等のホストコンピュータに代表される一般的な情報記録媒体利用環境において、アプリケーションソフトウエアを使用するに当り配布されたＣＤ−ＲＯＭやＤＶＤ−ＲＯＭからインストールしてアプリケーションを使用し、そのアプリケーションで別途データの保存／保管をする為に記録領域が必要な場合、フレキシブルディスクドライブ，ハードディスクドライブ，ＣＤ−Ｒ／ＲＷドライブ，ＤＶＤ−Ｒ／ＲＡＭ／ＲＷなどの情報記録装置が用いられるのが一般的である。
一方、情報記録媒体の一部が記録済み領域になっており、その領域にアプリケーションプログラムが格納されて、情報記録媒体の残りの領域をそのアプリケーションのワーク領域として記録することの出来る未記録（記録可能）領域とからなるハイブリッド記録媒体（例えば、特開平６−３４９２４８号公報参照）がある。
【０００３】
上述のようなハイブリッド記録媒体の場合、当該ハイブリッド記録媒体に対して情報の記録又は再生を行うＣＤ−Ｒ／ＲＷドライブ，ＤＶＤ−Ｒ／ＲＡＭ／ＲＷドライブなどの情報記録再生装置をＰＣに接続し、当該ハイブリッド記録媒体が情報記録再生装置に挿入されると自動的にハイブリッド記録媒体の記録済み領域に格納されたアプリケーションソフトを読み出してＰＣ上で立ち上がり、ＰＣ上で動作を行い、当該アプリケーションが当該ハイブリッド記録媒体上の未記録領域をデータの保存／保管に利用するという形で使用されている。
ハイブリッド記録媒体に関し、記録済み部が出荷時にアプリケーションプログラムが記録済みで書き換えできない領域で、未記録領域は書きこみ可能な領域、あるいは書き換え可能な領域であるのが一般的である。
【０００４】
具体的には、ＣＤ−ＲのオレンジブックＰａｒｔＩＩ　Ｖｅｒｓｉｏｎ３．１のＰａｇｅ．ＸＩ−１に、ファースト（１ｓｔ：第１）セッションがマスタードセッション（スタンプ部）であり、以降の領域が書きこみ可能（一度だけ書き込み可能）領域となっているハイブリッド記録媒体、また、ＣＤ−ＲＷのオレンジブックＰａｒｔＩＩＩ　Ｖｏｌｕｍｅ２　Ｖｅｒｓｉｏｎ１．０のＰａｇｅ．ＸＩ−１に、１ｓｔセッションがマスタードセッションであり、以降の領域が書き換え可能領域となっているハイブリッド記録媒体がある。
しかし、両規格ともハイブリッド記録媒体と通常の（ハイブリッドでない）記録媒体とを区別する取り決めがなく、情報記録再生装置からみるとデータが書かれている１ｓｔセッションがマスタードセッションか情報記録媒体により記録されたセッションかの区別ができない。
【０００５】
さらに、本発明の対象となるハイブリッド記録媒体では、情報記録媒体の製法上ＣＤ−ＲＷメディアを利用して、未記録部分はＣＤ−ＲＷそのままで、記録済み部分をＣＤ−ＲＷの構造を流用してグルーブに新たにピットを掘る方法で出荷時に記録済み領域を形成している。
この場合、記録済み領域に情報記録再生装置から消去命令が発行された場合、本来消去を禁止してエラーとすべきところであるが、現状のハイブリッド記録媒体では消去してはいけないスタンプ部があるのかどうかを認識する方法がない為、消去命令を禁止する手段がなく、当該記録済み領域が消去（実際は論理消去なので、消去パターンが上書き）され、結果として意味のないデータが記録されることになってしまう（読み出すときに元々記録されていたデータでもない意味のないデータがよみだされる）問題点が報告されている。
【０００６】
そこで従来、ハイブリッドであることを示す情報がスタンプで形成された情報記録媒体が挿入されたとき、当該情報記録媒体がハイブリッドであることを認識し、上位装置からの１ｓｔセッションへの消去命令に対してエラー終了する情報記録再生装置があった。
【０００７】
【発明が解決しようとする課題】
しかしながら、上述した従来の情報記録再生装置では、上述のような情報記録媒体が挿入された場合、スタンプで形成されたハイブリッドであることを示す情報を読み取れない、もしくは読み取れたとしても、その情報の意味を理解することが出来ないので、スタンプされた記録領域への書き込み及び消去が実行され、意味の無いデータが記録されてしまうという問題があった。
この発明は上記の課題を解決するためになされたものであり、予め情報が記録された記録済み領域と記録可能な領域とを備えた情報記録媒体に対する上記記録済み領域への書き込み及び消去が実行されないようにすることを目的とする。
【０００８】
【課題を解決するための手段】
この発明は上記の目的を達成するため、次の（１）と（２）の情報記録媒体を提供する。
（１）複数のセッションを有し、その各セッションのうち所定のセッションが再生専用領域であり、その他のセッションが記録可能領域である情報記録媒体であって、上記再生専用領域に格納されるデータのファイル構造の中に、当該情報記録媒体が上記再生専用領域と上記記録可能領域とを有する情報記録媒体である旨の識別情報が含まれている情報記録媒体。
（２）データをマルチセッションで記録する情報記録媒体であって、その第１セッションにスタンプによってデータが形成されており、上記第１セッションより後のセッションが記録可能なユーザ領域であり、上記第１セッションにスタンプで形成されたデータのフォルダ又はファイルツリー構造の中に、ハイブリッド記録媒体であることを意味するフォルダ名又はファイル名が含まれている情報記録媒体。
【０００９】
また、次の（３）〜（６）のプログラムも提供する。
（３）コンピュータに、情報記録媒体の所定のセッションのデータのファイル構造を読み込む手順と、その手順によって読み込んだファイル構造の中に当該情報記録媒体が上記再生専用領域と上記記録可能領域とを有する情報記録媒体である旨の識別情報が含まれているか否かを判断する手順と、その手順によって上記識別情報が含まれていると判断した場合、上記所定のセッションに対する書き込み要求又は消去要求があったときに当該要求を拒否する手順とを実行させるためのプログラム。
【００１０】
（４）コンピュータに、上記（２）の情報記録媒体が挿入されたとき、上記第１セッションのデータのフォルダ又はファイルツリー構造を読み込む手順と、その手順で読み込んだフォルダ又はファイルツリー構造の中に、ハイブリッド記録媒体であることを意味するフォルダ名又はファイル名が含まれているか否かを判断する手順と、その手順によって前記フォルダ名又はファイル名が含まれていると判断した場合、上記第１セッションに対する書き込み要求又は消去要求があったときに当該要求を拒否する手順とを実行させるためのプログラム。
【００１１】
（５）コンピュータに、データをマルチセッションで記録する情報記録媒体であって、その第１セッションにスタンプによってデータが形成されており、上記第１セッションより後のセッションが記録可能なユーザ領域であり、上記第１セッションにスタンプで形成されたデータのフォルダ又はファイルツリー構造の中に、ハイブリッド記録媒体であることを意味するフォルダ名又はファイル名が含まれており、上記第１セッションに情報記録再生装置を制御する情報記録再生装置用プログラムがスタンプで形成された情報記録媒体が情報記録再生装置に挿入されたとき、当該コンピュータ上に上記情報記録媒体が挿入された情報記録再生装置を制御する情報記録再生装置用プログラムが存在するか否かを判断する手順と、その手順によって情報記録再生装置用プログラムが存在すると判断した場合、その情報記録再生装置用プログラムのバージョン情報を取得する手順と、その手順によって取得したバージョン情報に基づいて当該コンピュータ上の情報記録再生装置用プログラムが前記ハイブリッド記録媒体を判別する機能を有するか否かを判断する手順と、その手順によって上記ハイブリッド記録媒体を判別する機能を有しないと判断した場合、上記情報記録媒体の第１セッションに対する書き込み及び消去を実行しないように警告する手順とをオペレーティングシステムの自動起動の機能によって上記情報記録媒体の情報記録再生装置への挿入時に自動起動で実行させるためのプログラム。
【００１２】
（６）コンピュータに、データをマルチセッションで記録する情報記録媒体であって、その第１セッションにスタンプによってデータが形成されており、上記第１セッションより後のセッションが記録可能なユーザ領域であり、上記第１セッションにスタンプで形成されたデータのフォルダ又はファイルツリー構造の中に、ハイブリッド記録媒体であることを意味するフォルダ名又はファイル名が含まれており、上記第１セッションに情報記録再生装置を制御する情報記録再生装置用プログラムがスタンプで形成された情報記録媒体が情報記録再生装置に挿入されたとき、当該コンピュータ上に上記情報記録媒体が挿入された情報記録再生装置を制御する情報記録再生装置用プログラムが存在するか否かを判断する手順と、その手順によって情報記録再生装置用プログラムが存在すると判断した場合、その情報記録再生装置用プログラムのバージョン情報を取得する手順と、その手順によって取得したバージョン情報に基づいて当該コンピュータ上の情報記録再生装置用プログラムが前記ハイブリッド記録媒体を判別する機能を有するか否かを判断する手順と、その手順によって上記ハイブリッド記録媒体を判別する機能を有しないと判断した場合、上記情報記録媒体の第１セッションに対する書き込み及び消去を実行しないように警告する手順と、上記手順によって上記ハイブリッド記録媒体を判別する機能を有しないと判断した場合、当該コンピュータ上の情報記録再生装置用プログラムの製造元が当該情報記録再生装置用プログラムの後継バージョンとして上記ハイブリッド記録媒体を判別する機能を有する情報記録再生装置用プログラムを提供しているか否かを判断する手順と、その手順によって提供していると判断した場合、当該情報記録再生装置用プログラムを後継バージョンに更新することを促す手順と、当該コンピュータを当該情報記録再生装置用プログラムの製造元のインターネットのホームページに自動的に接続させる手順とをオペレーティングシステムの自動起動の機能によって上記情報記録媒体の情報記録再生装置への挿入時に自動起動で実行させるためのプログラム。
【００１３】
さらに、次の（７）の情報記録装置も提供する。
（７）光源からの光を情報記録媒体に照射することによって情報の記録を行う情報記録装置であって、情報記録媒体の所定のセッションのデータのファイル構造を読み込むファイル構造読込手段と、そのファイル構造読込手段によって読み込んだファイル構造の中に当該情報記録媒体が上記再生専用領域と上記記録可能領域とを有する情報記録媒体である旨の識別情報が含まれているか否かを判断する判断手段と、その判断手段によって上記識別情報が含まれていると判断した場合、上記所定のセッションに対する書き込み要求又は消去要求があったときに当該要求を拒否する拒否手段を備えた情報記録装置。
【００１４】
【発明の実施の形態】
以下、この発明の実施形態を図面に基づいて具体的に説明する。
図２は、図１に示す光学的情報記録再生装置を使用した情報処理装置の構成を示すブロック図である。
この情報処理装置は、主制御装置２１，インターフェース２２，記録装置２３，入力装置２４及び表示装置２５などを備えているホストコンピュータと、そのホストコンピュータにインターフェース２２を介して接続される光学的情報記録再生装置２０とからなる。
【００１５】
ホストコンピュータの主制御装置２１は、マイクロコンピュータ（ＣＰＵ），メインメモリなどを含んで構成され、この情報処理装置全体を制御する。
インターフェース２２は、光学的情報記録再生装置２０との双方向の通信インターフェースであり、ＡＴＡＰＩ及びＳＣＳＩ等の標準インターフェースに準拠している。インターフェース２２は光学的情報記録再生装置２０のＡＴＡＰＩ／ＳＣＳＩインターフェース（Ｉ／Ｆ）１３と接続されている。
なお、各インターフェース間の接続形態は、通信ケーブル（例えばＳＣＳＩケーブル）などの通信線を用いたケーブル接続だけでなく、赤外線などを利用したワイヤレス接続であっても良い。
【００１６】
記録装置２３は、ハードディスク装置（ＨＤＤ）等の記憶装置であり、主制御装置２１のマイクロコンピュータで解読可能なコードで記述されたプログラムが格納されている。なお、この情報処理装置の駆動電源がオン状態になると、上記プログラムは主制御装置２１のメインメモリにロードされる。
表示装置２５は、例えばＣＲＴ，液晶ディスプレイ（ＬＣＤ）及びプラズマディスプレイパネル（ＰＤＰ）などの表示部（図示省略）を備えており、主制御装置２１からの各種情報を表示する。
入力装置２４は、例えばキーボード，マウス及びポインティングデバイスなどのうちの少なくとも１つの入力媒体（図示省略）を備えており、ユーザから入力された各種情報を主制御装置２１に通知する。
【００１７】
なお、入力媒体からの情報はワイヤレス方式で入力されても良い。また、表示装置と入力装置とが一体化したものとして、例えばタッチパネル付きＣＲＴなどがある。
また、この情報処理装置はオペレーティングシステム（以下「ＯＳ」という）を搭載している。そして、この情報処理装置を構成する全てのデバイスはＯＳによって管理されているものとする。
【００１８】
図１は、この発明の一実施形態である光学的情報記録再生装置の構成を示すブロック図である。
光ディスク１は、情報記録媒体であり、一般的なＣＤ−ＲディスクとＣＤ−Ｅディスクは、書き込みが可能な（記録可能な）コンパクトディスク（ＣＤ）である。前者のＣＤ−Ｒ（ＣＤレコーダブル）ディスクは、１回だけ書き込みが可能なＣＤである（なお、ＣＤ−Ｗｒｉｔｅ　Ｏｎｃｅともいわれている）。
また、後者のＣＤ−Ｅ（ＣＤイレーザブル）ディスクは、複数回の書き込みが可能なＣＤである（なお、ＣＤ−ＲＷ：ＣＤリライタブルともいわれている）。さらに、ＣＤ−ＲＯＭディスク，ＣＤ−ＲＷディスク，ＣＤ＋Ｒ／ＲＷディスク，ＤＶＤ−ＲＯＭディスク，ＤＶＤ−Ｒ／ＲＡＭ／ＲＷディスク，ＤＶＤ＋Ｒ／ＲＷディスク等の光ディスクがあり、この光学的情報記録再生装置によって情報の記録又は再生が行われる。
【００１９】
この光学的情報再生装置（光ディスクドライブ）は、光源からの光を情報記録媒体に照射することによって情報の記録を行う情報記録装置であって、スピンドルモータ２，光ピックアップ３，レーザコントロール回路（レーザコントローラ）４，ＣＤエンコーダ５，ＣＤ−ＲＯＭエンコーダ６，ＡＴＩＰデコーダ７，バッファＲＡＭ８，バッファマネージャ９，リードアンプ１０，ＣＤデコーダ１１，ＣＤ−ＲＯＭデコーダ１２，ＡＴＡＰＩ／ＳＣＳＩインターフェース（Ｉ／Ｆ）１３，モータドライバ１４，サーボ部１５，Ｄ／Ａコンバータ１６，ＲＯＭ１７，ＣＰＵ１８，ＲＡＭ１９からなる。
【００２０】
同図中の矢印はデータが主に流れる方向を示しており、また、図を簡略化するために、各ブロックを制御するＣＰＵ１８には、矢印付き太線のみを記載して各ブロックとの接続を省略している。
ＲＯＭ１７には、ＣＰＵ１８にて解読可能なコードで記述された制御プログラムが格納されている。
なお、光ディスクドライブの電源がオン状態になると、前記プログラムは図示を省略したメインメモリにロードされ、ＣＰＵ１８はそのプログラムに従って上記各部の動作を制御するとともに、制御に必要なデータ等を一時的にＲＡＭ１９に保存する。
【００２１】
スピンドルモータ２は、モータドライバ１４とサーボ部１５によって線速度が一定になるように制御され、光ディスク１を回転駆動させる。その線速度は、段階的に変更することが可能である。
光ピックアップ３は、図示を省略した公知の半導体レーザ光源（光源），光学系部，フォーカスアクチュエータ，トラックアクチュエータ，受光素子及びポジションセンサを内蔵しており、光源から発生させたレーザ光ＬＢを光ディスク１に照射する。
【００２２】
また、この光ピックアップ３は、同じく図示を省略したシークモータによってスレッジ方向への移動が可能である。それらのフォーカスアクチュエータ，トラックアクチュエータ及びシークモータは、受光素子とポジションセンサから得られる信号に基づいてモータドライバ１４とサーボ部１５により、レーザ光ＬＢのスポットが光ディスク１上の目的の場所に位置するように制御される。
そして、光ディスク１のリード（情報の再生，読み出し）時には、光ピックアップ３によって得られた再生信号が、リードアンプ１０で増幅されて２値化された後、ＣＤデコーダ１１に入力される。その入力された２値化データは、このＣＤデコーダ１１において、ＥＦＭ（Ｅｉｇｈｔ　ｔｏ　Ｆｏｕｒｔｅｅｎ　Ｍｏｄｕｌａｔｉｏｎ）復調される。
【００２３】
なお、記録データは、８ビットずつまとめられてＥＦＭ変調されており、このＥＦＭ変調では、８ビットを１４ビットに変換し、結合ビットを３ビット付加して合計１７ビットにする。
この場合に、結合ビットは、それまでの「１」と「０」の数が平均的に等しくなるように付けられる。
これを「ＤＣ成分の抑制」といい、ＤＣカットされた再生信号のスライスレベル変動が抑圧される。復調されたデータは、デインターリーブとエラー訂正の処理が行われる。
その後、このデータは、ＣＤ−ＲＯＭデコーダ１２へ入力され、データの信頼性を高めるために、さらに、エラー訂正の処理が行われる。
【００２４】
このように２回のエラー訂正の処理が行われたデータは、バッファマネージャ９によって一旦バッファＲＡＭ８に蓄えられ、セクタデータとして揃った状態で、ＡＴＡＰＩ／ＳＣＳＩインターフェース１３を介して、図２のホストコンピュータへ一気に転送される。
なお、音楽データの場合には、ＣＤデコーダ１１から出力されたデータが、Ｄ／Ａコンバータ１６へ入力され、アナログのオーディオ出力信号Ａｕｄｉｏとして取り出される。
また、光ディスク１のライト（情報の記録，書き込み）時には、ＡＴＡＰＩ／ＳＣＳＩインターフェース１３を通してホストコンピュータから送られてきたデータを、バッファマネージャ９によって一旦バッファＲＡＭ８に蓄える。
【００２５】
そして、バッファＲＡＭ８内にある程度の量のデータが蓄積された状態で、ライト動作が開始されるが、この場合には、その前にレーザスポットを書き込み開始地点に位置させる必要がある。
その地点は、トラックの蛇行により予め光ディスク１上に刻まれているウォブル信号によって求められる。
ウォブル信号には、ＡＴＩＰと呼ばれる絶対時間情報が含まれており、この情報が、ＡＴＩＰデコーダ７によって取り出される。
また、このＡＴＩＰデコーダ７によって生成される同期信号は、ＣＤエンコーダ５へ入力され、光ディスク１上の正確な位置へのデータの書き込みを可能にしている。
【００２６】
バッファＲＡＭ８のデータは、ＣＤ−ＲＯＭエンコーダ６やＣＤエンコーダ５においてエラー訂正コードの付加やインターリーブが行われ、レーザコントロール回路４，光ピックアップ３を介して、光ディスク１に記録される。
なお、ＥＦＭ変調されたデータは、ビットストリームとしてチャンネルビットレート４．３２１８Ｍｂｐｓ（標準速）でレーザを駆動する。
この場合の記録データは、５８８チャンネルビット単位でＥＦＭフレームを構成する。チャンネルクロックとは、このチャンネルビットの周波数のクロックを意味する。
【００２７】
次に、上記光ディスク１についてさらに説明する。
まず最初に、この発明の基礎となる光ディスクのフォーマットとして、ＩＳＯ９６６０ファイルシステムを使用してマルチセッションでデータを追記していく場合、光ディスクのＩＳＯファイルシステムの構造の概略について説明する。
図３及び図４は、一般的なＩＳＯファイルシステムの構造の説明図である。
図３は新たなセッションデータを記録する際に前のセッションのデータを引き継いだフォルダ／ファイルツリー構造を構築するフォーマットの例であり、図４は新たなセッションデータを記録する際に前のセッションのデータを引き継がないフォルダ／ファイルツリー構造を構築するフォーマットの例である。
【００２８】
まず、図３に示した構造例では、ＣＤ−ＲＷディスクの１ｓｔ（第１）セッションが記録された時点では、同図の（ａ）に示すように、ルートディレクトリにファイルＡ（ＦｉｌｅＡ）のみが存在することを表すフォルダ／ファイルツリー構造１とファイルＡの実体がそれぞれ記録されて、当該フォルダ／ファイルツリー構造１には、同図の（ｂ）に示すようなファイルＡの位置情報が記録される。次に、２ｎｄ（第２）セッションが記録された時点では、同図の（ａ）に示すように、ルートディレクトリにファイルＡとファイルＢ（ＦｉｌｅＢ）が存在することを表すフォルダ／ファイルツリー構造２とファイルＢの実体がそれぞれ記録され、当該フォルダ／ファイルツリー構造２には、同図の（ｃ）に示すようなファイルＡとファイルＢの位置情報が記録される。
【００２９】
次に、図４に示した構造例では同図の（ａ）に示すように、ＣＤ−ＲＷディスクの１ｓｔセッションへの記録は図３の場合と同様であるが、２ｎｄセッションが記録された時点では、ルートディレクトリにファイルＢのみが存在することを表すフォルダ／ファイルツリー構造２とファイルＢの実体がそれぞれ記録され、当該フォルダ／ファイルツリー構造２には、同図の（ｃ）に示すようなファイルＢの位置情報が記録される。
【００３０】
マルチセッションのＩＳＯ９６６０ファイルシステムディスクの読み込みシステムでは、最終セッションのフォルダ／ファイルツリー構造を有効とみなす為、例えばウインドウズ（Ｗｉｎｄｏｗｓ：登録商標）システムのエクスプローラで図３に示した構造の光ディスクの内容を見ると、ルートディレクトリにファイルＡとファイルＢが存在するのが見えるが、図４に示した構造の光ディスクの内容を見ると、ルートディレクトリにファイルＢのみが存在するのが見える。
つまり、ＩＳＯ９６６０のマルチセッションディスクでは、当然図３に示した構造のように、物理的にもファイルシステムの論理的にもフォルダやファイルを追記するという書き方が可能であるが、図４に示した構造のように、物理的には追記であるがファイルシステムの論理的にはフォルダやファイルを削除するという書き方も可能である。
【００３１】
次に、上記光ディスク１の一例として、上記ＩＳＯ９６６０ファイルシステムを使用してマルチセッションでデータの追記が可能なハイブリッドＣＤ−ＲＷディスクについて説明する。
この発明の請求項１と２の情報記録媒体の一実施形態であるハイブリッドＣＤ−ＲＷディスクについて説明する。
図５は、この発明の請求項１と２の情報記録媒体の一実施形態であるハイブリッドＣＤ−ＲＷディスクのフォーマットを示す説明図である。
このハイブリッドＣＤ−ＲＷディスクは、データをマルチセッションで記録する情報記録媒体であって、図３に示す通り、１ｓｔ（第１）セッションはスタンプでデータが形成された再生専用領域（ＲＯＭ部）であり、２ｎｄ（第２）セッション以降のセッション（第３セッション以降は図示を省略）は記録可能なユーザ領域である。なお、ユーザ領域には第２セッションのみを形成しても良い。
【００３２】
そして、１ｓｔセッションには、スタンプで形成されたファイルＡ，ファイルＢのデータと、このディスクがスタンプ形成された再生専用領域とデータ記録可能な記録可能領域とからなるハイブリッド記録媒体である事を意味するフォルダ名又はファイル名、例えば「ハイブリッドＩＤファイル（ＨｙｂｒｉｄＩＤＦｉｌｅ）」のファイル名を持つファイルの実体と、フォルダ／ファイルツリー構造１の中に、それらの各ファイルの存在を含むフォルダ又はファイルツリー構造のデータ（各ファィルの位置情報等）を記録している（同図の（ｂ）参照）。
【００３３】
すなわち、このハイブリッドＣＤ−ＲＷディスクは、複数のセッションを有し、その各セッションのうち１ｓｔセッション（所定のセッション）がスタンプ形成された再生専用領域であり、その他のセッション（第１セッション以降のセッション）が記録可能領域である情報記録媒体であって、１ｓｔセッションに格納されるデータのファイル構造の中に、当該情報記録媒体が再生専用領域と記録可能領域とを有するハイブリッド記録媒体である旨の「ハイブリッドＩＤファイル」のファイル名（識別情報）が含まれている情報記録媒体に相当する。
このようにして、このハイブリッドＣＤ−ＲＷディスクによれば、スタンプ形成された１ｓｔセッションのデータに、ハイブリッド記録媒体であることを意味するフォルダ名またはファイル名が存在するので、このディスクを記録再生する光ディスクドライブ又はその光ディスクドライブを制御するホストコンピュータにおいてフォルダ名またはファイル名を参照することによってハイブリッド記録媒体であるか否かを容易に判別することができる。
【００３４】
次に、この発明の請求項３と４の一実施形態であるプログラムについて説明する。
このプログラムは、ＣＰＵ１８又は主制御装置２１に、上記光ディスク１が挿入されたとき、その第１セッションのデータのフォルダ又はファイルツリー構造を読み込む手順と、その手順で読み込んだフォルダ又はファイルツリー構造の中に、ハイブリッド記録媒体であることを意味するフォルダ名又はファイル名が含まれているか否かを判断する手順と、その手順によって上記フォルダ名又はファイル名が含まれていると判断した場合、第１セッションに対する書き込み要求又は消去要求があったときに当該要求を拒否する手順とを実行させるためのプログラムである。
【００３５】
すなわち、このプログラムは、光ディスク（情報記録媒体）の所定のセッションのデータのファイル構造を読み込む手順と、その手順によって読み込んだファイル構造の中に当該光ディスクが再生専用領域と記録可能領域とを有するハイブリッド記録媒体である旨のハイブリッドＩＤファイル（識別情報）が含まれているか否かを判断する手順と、その手順によって識別情報が含まれていると判断した場合、スタンプ形成された第１セッション（所定のセッション）に対する書き込み要求又は消去要求があったときに当該要求を拒否する手順とを実行させるためのプログラムに相当する。
【００３６】
このプログラムを上記光ディスクドライブで実行させる場合、ＲＯＭ１７に予め格納してＣＰＵ１８が読み出して上記各手順を実行する。
また、上記ホストコンピュータで実行させる場合、記録装置２３に予め格納して主制御装置２１が読み出して上記各手順を実行する。
したがって、上記ＣＰＵ１８又は主制御装置２１がこのプログラムによる各手順の機能を果たす。なお、このプログラムを上記ＲＯＭ１７または記録装置２３に格納する処理は、製造時に行っても良いし、出荷後に使用者が通信又は記録媒体を介してインストールするようにしてもよい。
【００３７】
したがって、上記光ディスクドライブのＣＰＵ１８又はホストコンピュータの主制御装置２１は、この発明の請求項７に係る情報記録媒体の所定のセッションのデータのファイル構造を読み込むファイル構造読込手段と、そのファイル構造読込手段によって読み込んだファイル構造の中に当該情報記録媒体が上記再生専用領域と上記記録可能領域とを有する情報記録媒体である旨の識別情報が含まれているか否かを判断する判断手段と、その判断手段によって上記識別情報が含まれていると判断した場合、上記所定のセッションに対する書き込み要求又は消去要求があったときに当該要求を拒否する拒否手段の機能を果たす。
【００３８】
図６は、この発明の請求項３と４の一実施形態であるプログラムの処理を示すフローチャート図である。
この処理は、ＣＰＵ１８あるいは主制御装置２１が、光ディスクドライブに光ディスクが挿入されたことを検出すると、ステップ（図中「Ｓ」で示す）１で当該光ディスクに書かれたセッション数に係わらず１ｓｔセッションに記録されているフォルダ又はファイルツリー構造を読み込み、ステップ２でその読み込んだフォルダ又はファイルツリー構造の中に、上記図５に示したハイブリッド記録媒体（ハイブリッドＣＤ−ＲＷディスク）であることを意味するファイル名「ＨｙｂｒｉｄＩＤＦｉｌｅ」のファイルが存在するか否かを判断する。
【００３９】
ステップ２の判断でし、ファイル名「ＨｙｂｒｉｄＩＤＦｉｌｅ」のファイルが存在しないならステップ５へ進み、存在するならハイブリッドＣＤ−ＲＷディスクが挿入されたものと判断し、ステップ３でそれ以降はホストコンピュータあるいはユーザから１ｓｔセッションへの書き込み要求の命令又は消去要求の命令を受けたか否かを判断し、受けなければステップ５へ進み、受けたならばステップ４で挿入されたディスクがハイブリッドＣＤ−ＲＷディスクであるという理由で第１セッションに対する書き込み要求又は消去要求を拒否し、当該書き込み命令又は消去命令をエラー終了（ＣＰＵ１８の制御の場合はホストコンピュータへエラーを通知し、主制御装置２１の制御の場合はユーザへエラー通知する）する。
【００４０】
その後、ステップ５で別処理を実行するか否かを判断し、別処理を実行しないと判断したら、この処理を終了し、別処理を実行すると判断したらステップ６で別処理を実行し、この処理を終了する。
このようにして、このプログラムは、ハイブリッドＣＤ−ＲＷディスクに対しては外部から要求があってもスタンプ形成された１ｓｔセッションへの書き込み及び消去を実行しないので、１ｓｔセッションのデータの破壊を確実に防止することができる。
【００４１】
次に、この発明の請求項５の一実施形態であるプログラムについて説明する。このプログラムは、ＣＰＵ１８又は主制御装置２１に、オペレーティングシステムの自動起動の機能によって光ディスク（情報記録媒体）の光ディスクドライブ（情報記録再生装置）への挿入時に自動起動で実行させるためのプログラムであり、以下の手順を実行させるためのものである。
【００４２】
データをマルチセッションで記録する光ディスクであって、その第１セッションはスタンプによってデータが形成された再生専用領域であり、第１セッションより後のセッションが記録可能領域であり、第１セッションにスタンプで形成されたデータのフォルダ又はファイルツリー構造の中に、ハイブリッド記録媒体であることを意味するフォルダ名又はファイル名が含まれており、第１セッションに光ディスクドライブ（情報記録再生装置）を制御する情報記録再生装置用プログラムがスタンプで形成されたハイブリッドＣＤ−ＲＷディスクが光ディスクドライブに挿入されたとき、光ディスクドライブ上又はホストコンピュータ（当該コンピュータ）上に光ディスクが挿入された光ディスクドライブを制御する情報記録再生装置用プログラムが存在するか否かを判断する手順。
【００４３】
さらに、上記手順によって情報記録再生装置用プログラムが存在すると判断した場合、その情報記録再生装置用プログラムのバージョン情報を取得する手順と、その手順によって取得したバージョン情報に基づいて光ディスクドライブ上又はホストコンピュータ上の情報記録再生装置用プログラムがハイブリッドＣＤ−ＲＷディスクを判別する機能を有するか否かを判断する手順と、その手順によってハイブリッドＣＤ−ＲＷディスクを判別する機能を有しないと判断した場合、光ディスクドライブに挿入されたハイブリッドＣＤ−ＲＷディスクの第１セッションに対する書き込み及び消去を実行しないように警告する手順。
【００４４】
図７は、この発明の請求項５の一実施形態であるプログラムを格納したハイブリッドＣＤ−ＲＷディスクのフォーマットを示す説明図である。
図８は、この発明の請求項５の一実施形態であるプログラム内に格納されたデータベースの説明図である。
このハイブリッドＣＤ−ＲＷディスクは、データをマルチセッションで記録する情報記録媒体であって、図７に示す通り、１ｓｔ（第１）セッションはスタンプでデータが形成された再生専用領域であり、第２セッション以降のセッション（第３セッション以降は図示を省略）は記録可能なユーザ領域である。なお、ユーザ領域には第２セッションのみを形成しても良い。
【００４５】
そして、１ｓｔセッションには、スタンプで形成された複数のファイル（ファイルＡ等）のデータ（情報記録再生装置用プログラムを含む）と、この発明の請求項５に係るプログラム「ハイブリッドスタートエグゼ（ＨｙｂｒｉｄＳｔａｒｔ．ｅｘｅ）」と、このディスクがスタンプ形成された再生専用領域とデータ記録可能な記録可能領域とからなるハイブリッド記録媒体である事を意味するフォルダ名又はファイル名、例えば「ハイブリッドＩＤファイル（ＨｙｂｒｉｄＩＤＦｉｌｅ）」のファイル名を持つファイルの実体と、フォルダ／ファイルツリー構造１の中に、それらの各ファイルの存在を含むフォルダ又はファイルツリー構造のデータ（各ファィルの位置情報等）を記録している（同図の（ｂ）参照）。
【００４６】
上記「ＨｙｂｒｉｄＳｔａｒｔ．ｅｘｅ」は、例えばウインドウズ（Ｗｉｎｄｏｗｓ：登録商標）システムのオートラン（Ａｕｔｏｒｕｎ：自動実行）の機能により、ハイブリッドＣＤ−ＲＷディスクが光ディスクドライブに挿入されると光ディスクドライブ上又はホストコンピュータ上で自動的に起動する。
また、図８に示すように、「ＨｙｂｒｉｄＳｔａｒｔ．ｅｘｅ」の内部には、各社のＣＤ−ＲＷライタソフト（情報記録再生装置用プログラム）に対して、上記ファイル名「ＨｙｂｒｉｄＩＤＦｉｌｅ」に基づいて再生専用領域と記録可能領域とからなるハイブリッドＣＤ−ＲＷディスクであるか否かを判断するハイブリッドＣＤ−ＲＷディスク判断（判別）機能がサポートされた後継バージョンの一覧のデータベースを保持している。
【００４７】
例えば、Ａ社のＣＤ−ＲＷライタソフトのバージョン２．００，Ｂ社のＣＤ−ＲＷライタソフトのバージョン３．００，Ｃ社のＣＤ−ＲＷライタソフトのバージョン４．００が、それぞれ再生専用領域と記録可能領域とからなるハイブリッドＣＤ−ＲＷディスクであるか否かを判断するハイブリッドＣＤ−ＲＷディスク判別機能を備えているものとしてリストに記録されている。
【００４８】
図９は、この発明の請求項５の一実施形態であるプログラムが自動起動した後の処理を示すフローチャート図である。
図１０は、図９に示した処理において出力される警告メッセージの一例を示す図である。
この処理は、ＣＰＵ１８あるいは主制御装置２１が、光ディスクドライブに光ディスクが挿入されたことを検出すると、図７に示したフォーマットのハイブリッドＣＤ−ＲＷディスクの場合は、ウインドウズのオペレーティングシステムの自動起動の機能によって第１セッションに格納された「ＨｙｂｒｉｄＳｔａｒｔ．ｅｘｅ」を自動起動する。
【００４９】
そして、ＣＰＵ１８あるいは主制御装置２１は、図９に示すように、ステップ１１で例えばウインドウズシステムのレジストリ情報等を検索して、ホストコンピュータ上に光ディスクが挿入された光ディスクドライブを制御するＣＤ−ＲＷライタソフト（情報記録再生装置用プログラム）が存在するか否かを判断し、そのＣＤ−ＲＷライタソフトが存在すると判断した場合、現在ホストコンピュータにインストールされているＣＤ−ＲＷライタソフト（情報記録再生装置用プログラム）のバージョン情報を検出する。
ステップ１２で上記検出されたＣＤ−ＲＷライタソフトのバージョン情報を取得し、図８に示したデータベースを参照して、当該インストールされているＣＤ−ＲＷライタソフトがハイブリッドＩＤファイルの存在の有無によるハイブリッドＣＤ−ＲＷ判別機能をサポートしたバージョンか否かを判断する（情報記録再生装置用プログラムがハイブリッド記録媒体を判別する機能を有するか否かを判断する）。
【００５０】
ステップ１２の判断で当該機能をサポートしているバージョンなら、ステップ１４へ進んで別処理を実行し、この処理を終了する。
また、ステップ１２の判断で当該機能をサポートしてないバージョン、例えばＢ社のＣＤ−ＲＷライタソフトのバージョン２．００だった場合、当該機能をサポートしてないバージョンと判断し（ハイブリッド記録媒体を判別する機能を有しないと判断し）、ステップ１３で図１０に示すような警告メッセージを表示して、ホストコンピュータ又はユーザに光ディスクドライブに挿入されたハイブリッドＣＤ−ＲＷディスクの第１セッションに対する書き込み及び消去を実行しないように警告し、第１セッションに対する書き込み及び消去を実行しないようにして、ステップ１４で別処理を実行してこの処理を終了する。
【００５１】
このようにして、ハイブリッドＣＤ−ＲＷディスクの光ディスクドライブへの挿入時に自動起動し、既に光ディスクドライブ又はホストコンピュータに存在するＣＤ−ＲＷライタソフトがハイブリッド記録媒体を判別する機能を備えた情ＣＤ−ＲＷライタソフトであるか否かを判別して、その機能を備えたＣＤ−ＲＷライタソフトでない場合には警告メッセージを表示し、１ｓｔセッションへのデータの書き込み及び消去を禁止するので、ホストコンピュータ又はユーザがハイブリッドＣＤ−ＲＷディスクの１ｓｔセッションの消去命令を実行して１ｓｔセッションのデータを破壊する危険性を減少することができる。
【００５２】
次に、この発明の請求項６の一実施形態であるプログラムについて説明する。このプログラムは、ＣＰＵ１８又は主制御装置２１に、オペレーティングシステムの自動起動の機能によって光ディスク（情報記録媒体）の光ディスクドライブ（情報記録再生装置）への挿入時に自動起動で実行させるためのプログラムであり、以下の手順を実行させるためのものである。
【００５３】
データをマルチセッションで記録する光ディスクであって、その第１セッションがスタンプによってデータが形成された再生専用領域であり、第１セッションより後のセッションが記録可能領域であり、第１セッションにスタンプで形成されたデータのフォルダ又はファイルツリー構造の中に、ハイブリッド記録媒体であることを意味するフォルダ名又はファイル名が含まれており、第１セッションに光ディスクドライブ（情報記録再生装置）を制御するＣＤ−ＲＷライタソフト（情報記録再生装置用プログラム）がスタンプで形成されたハイブリッドＣＤ−ＲＷディスクが光ディスクドライブに挿入されたとき、光ディスクドライブ上又はホストコンピュータ（当該コンピュータ）上に光ディスクが挿入された光ディスクドライブを制御するＣＤ−ＲＷライタソフトが存在するか否かを判断する手順。
【００５４】
さらに、上記手順によってＣＤ−ＲＷライタソフトが存在すると判断した場合、そのＣＤ−ＲＷライタソフトのバージョン情報を取得する手順と、その手順によって取得したバージョン情報に基づいて光ディスクドライブ上又はホストコンピュータ上のＣＤ−ＲＷライタソフトがハイブリッドＣＤ−ＲＷディスクを判別する機能を有するか否かを判断する手順と、その手順によってハイブリッドＣＤ−ＲＷディスクを判別する機能を有しないと判断した場合、ハイブリッドＣＤ−ＲＷディスクの第１セッションに対する書き込み及び消去を実行しないように警告する手順。
【００５５】
さらにまた、上記手順によってハイブリッドＣＤ−ＲＷディスクを判別する機能を有しないと判断した場合、光ディスクドライブ上又はホストコンピュータ上のＣＤ−ＲＷライタソフトの製造元が当該ＣＤ−ＲＷライタソフトの後継バージョンとしてハイブリッドＣＤ−ＲＷディスクを判別する機能を有するＣＤ−ＲＷライタソフトを提供しているか否かを判断する手順と、その手順によって提供していると判断した場合、当該ＣＤ−ＲＷライタソフトを後継バージョンに更新することを促す手順と、光ディスクドライブ又はホストコンピュータを当該ＣＤ−ＲＷライタソフトの製造元のインターネットのホームページに自動的に接続させる手順。
【００５６】
図１１は、この発明の請求項６の一実施形態であるプログラムが自動起動した後の処理を示すフローチャート図である。
図１２は、図１１に示した処理において出力される警告メッセージの一例を示す図である。
この処理は、ＣＰＵ１８あるいは主制御装置２１が、光ディスクドライブに光ディスクが挿入されたことを検出すると、図７に示したフォーマットのハイブリッドＣＤ−ＲＷディスクの場合は、ウインドウズのオペレーティングシステムの自動起動の機能によって第１セッションに格納された「ＨｙｂｒｉｄＳｔａｒｔ．ｅｘｅ」を自動起動する。
【００５７】
そして、ＣＰＵ１８あるいは主制御装置２１は、図１１に示すように、ステップ２１で例えばウインドウズシステムのレジストリ情報等を検索して、ホストコンピュータ上に光ディスクが挿入された光ディスクドライブを制御するＣＤ−ＲＷライタソフト（情報記録再生装置用プログラム）が存在するか否かを判断し、ＣＤ−ＲＷライタソフトが存在すると判断した場合、現在ホストコンピュータにインストールされているＣＤ−ＲＷライタソフトのバージョン情報を検出する。ステップ２２で上記検出されたＣＤ−ＲＷライタソフトのバージョン情報を取得し、図８に示したデータベースを参照して、インストールされているＣＤ−ＲＷライタソフトがハイブリッドＩＤファイルの存在の有無によるハイブリッドＣＤ−ＲＷ判別機能をサポートしたバージョンか否かを判断する。
ステップ２２の判断で当該機能をサポートしているバージョンなら、ステップ２６へ進んで別処理を実行し、この処理を終了する。
【００５８】
ステップ２２の判断で当該機能をサポートしてないバージョンなら、ステップ２３でインストールされているＣＤ−ＲＷライタソフトの製造元がハイブリッドＩＤファイルの存在の有無によるハイブリッドＣＤ−ＲＷ判別機能をサポートした後継バージョンを提供しているか否かを判断するか否かを判断する。
ステップ２３の判断で、当該検出したＣＤ−ＲＷライタソフトの種別が図８のデータベースに存在しない種別、例えばＺ社のＣＤ−ＲＷライタソフトであった場合と、検出したＣＤ−ＲＷライタソフトウェアの種別が図８のデータベースに存在する種別であるが、上記判別機能をサポートしてないバージョン、例えばＢ社のＣＤ−ＲＷライタソフトのバージョン２．００だった場合、すなわち、ＣＤ−ＲＷライタソフトの製造元がハイブリッドＩＤファイルの存在の有無によるハイブリッドＣＤ−ＲＷ判別機能をサポートした後継バージョンを提供していない場合、ステップ２５へ進む。
【００５９】
ステップ２５では、図１０に示すような警告メッセージを表示してホストコンピュータ又はユーザに光ディスクドライブに挿入されたハイブリッドＣＤ−ＲＷディスクの第１セッションに対する書き込み及び消去を実行しないように警告し、第１セッションに対する書き込み及び消去を実行しないようにして、ステップ２６へ進んで別処理を実行し、この処理を終了する。
【００６０】
また、ステップ２３の判断で、当該インストールされているＣＤ−ＲＷライタソフトの製造元がハイブリッドＩＤファイルの存在の有無によるハイブリッドＣＤ−ＲＷ判別機能をサポートした後継バージョンを提供している場合、ステップ２４で図１２に示すような警告メッセージを表示し、インターネットを利用してＣＤ−ＲＷライタソフトをその後継バージョンに更新することを促した後、例えばウインドウズシステム付属のインターネットエクスプローラ（ＩｎｔｅｒｎｅｔＥｘｐｒｏｒｅ：登録商標）のようなブラウザを起動し、光ディスクドライブ又はホストコンピュータを上記ＣＤ−ＲＷライタソフトの製造元のインターネット上のホームページ（Ｂ社のホームページ）へ接続し、ＣＤ−ＲＷライタソフトの更新処理を実行し、ステップ２６で別処理を実行して、この処理を終了する。
【００６１】
このようにして、ハイブリッドＣＤ−ＲＷディスクの光ディスクドライブへの挿入時に起動し、既に光ディスクドライブ又はホストコンピュータに存在するＣＤ−ＲＷライタソフトが、ハイブリッドＣＤ−ＲＷディスクを判別する機能を備えたプログラムであるか否かを判別して、その機能を備えたプログラムでない場合には、インターネット上の当該ＣＤ−ＲＷライタソフトの製造元のホームページに接続し、ハイブリッドＣＤ−ＲＷディスクを判別する機能を備えたプログラムへのバージョンアップを促すので、光ディスクドライブ又はユーザがハイブリッドＣＤ−ＲＷディスクを判別する機能を備えていないプログラムを使用し続けて、１ｓｔセッションの消去命令を実行して、１ｓｔセッションのデータを破壊する危険性を持ち続けることを防止することができる。
【００６２】
【発明の効果】
以上説明してきたように、この発明の情報記録媒体とプログラムと情報記録装置によれば、予め情報が記録された記録済み領域と記録可能な領域とを備えた情報記録媒体に対する上記記録済み領域への書き込み及び消去が実行されないようにすることができる。
【図面の簡単な説明】
【図１】この発明の一実施形態である光学的情報記録再生装置の構成を示すブロック図である。
【図２】図１に示す光学的情報記録再生装置を使用した情報処理装置の構成を示すブロック図である。
【図３】ＩＳＯファイルシステムの構造の説明図である。
【図４】同じくＩＳＯファイルシステムの構造の説明図である。
【図５】この発明の請求項１と２の情報記録媒体の一実施形態であるハイブリッドＣＤ−ＲＷディスクのフォーマットを示す説明図である。
【図６】この発明の請求項３と４の一実施形態である情報記録再生装置用プログラムの処理を示すフローチャート図である。
【図７】この発明の請求項５の一実施形態であるプログラムを格納したハイブリッドＣＤ−ＲＷディスクのフォーマットを示す説明図である。
【図８】この発明の請求項５の一実施形態であるプログラム内に格納されたデータベースの説明図である。
【図９】この発明の請求項５の一実施形態であるプログラムが自動起動した後の処理を示すフローチャート図である。
【図１０】図９に示した処理において出力される警告メッセージの一例を示す図である。
【図１１】この発明の請求項６の一実施形態であるプログラムが自動起動した後の処理を示すフローチャート図である。
【図１２】図１１に示した処理において出力される警告メッセージの一例を示す図である。
【符号の説明】
１：光ディスク　　　　　２：スピンドルモータ
３：光ピックアップ　　　４：レーザコントロール回路
５：ＣＤエンコーダ　　　６：ＣＤ−ＲＯＭエンコーダ
７：ＡＴＩＰデコーダ　　８：バッファＲＡＭ
９：バッファマネージャ　１０：リードアンプ
１１：ＣＤデコーダ　　　１２：ＣＤ−ＲＯＭデコーダ
１３：ＡＴＡＰＩ／ＳＣＳＩ・Ｉ／Ｆ
１４：モータドライバ　　１５：サーボ部
１６：Ｄ／Ａコンバータ　１７：ＲＯＭ
１８：ＣＰＵ　　　　　　１９：ＲＡＭ
２０：光学的情報記録再生装置
２１：主制御装置　　　　２２：インターフェース
２３：記録装置　　　　　２４：入力装置
２５：表示装置
【図１】
2004039060.tif 000003
【図２】
2004039060.tif 000004
【図３】
2004039060.tif 000005
【図４】
2004039060.tif 000006
【図５】
2004039060.tif 000007
【図６】
2004039060.tif 000008
【図７】
2004039060.tif 000009
【図８】
2004039060.tif 000010
【図９】
2004039060.tif 000011
【図１０】
2004039060.tif 000012
【図１１】
2004039060.tif 000013
【図１２】
2004039060.tif 000014